(57)【要約】      （修正有）【課題】支柱の径が代わっても対応できる架設足場における新規な幅木取付構造を提供する。【解決手段】仮設足場における、建地材となる縦柱等の左右の支柱の間に設ける幅木１０の支柱への取付構造である。支柱間に亘る板状幅木本体１１から側方に突出する支持部２２と、その支持部２２から幅木本体の長さ方向に突出する係止部２３とからなる。係止部２３は、支持部２２に軸心回りに回転自在に貫通する回転杆２３ａと、その回転杆２３ａから偏心して支柱の外面に係止する係止杆２３ｂとを有する。回転杆２３ａの軸心回りの回転角度によって係止杆２３ｂの幅木本体１１からの離反距離が変化する。このため、その回転角度を調整することによって、異なる径の支柱に対応させる。支持部２３は、幅木本体１１に対して起伏自在に設けることができる。【選択図】図３
0003219521.tif 000002
【実用新案登録請求の範囲】
【請求項１】
仮設足場における、建地材となる縦柱等の左右の支柱（１、１）の間に設ける幅木（１０）の前記支柱（１、１）への取付構造であって、
上記支柱（１、１）間に亘る板状幅木本体（１１）から側方に突出する支持部（２２）と、その支持部（２２）から幅木本体（１１）の長さ方向に突出する係止部（２３）とからなり、
上記係止部（２３）は、上記支持部（２２）に軸心回りに回転自在に貫通する回転杆（２３ａ）と、その回転杆（２３ａ）から偏心して同一長さ方向に延びて支柱（１）の外面に係止する係止杆（２３ｂ）とを有し、
上記回転杆（２３ａ）の軸心回りの回転角度（θ）によって上記係止杆（２３ｂ）の上記幅木本体（１１）からの離反距離（Ｌ）が変化する幅木の支柱への取付構造。
【請求項２】
上記支持部（２２）は、上記幅木本体（１１）に対して起伏自在に設けられている請求項１に記載の幅木の支柱への取付構造。
【請求項３】
上記支持部（２２）に上記係止杆（２３ｂ）をその下面で支える支片（２２ｅ）を設けた請求項１又は２に記載の幅木の支柱への取付構造。
【考案の詳細な説明】
【技術分野】
【０００１】
この考案は、仮設足場における、建地材となる縦柱等の左右の支柱の間に設ける幅木の取付構造に関するものである。
【背景技術】
【０００２】
例えば、仮設足場には、この考案の一実施形態を示す図１を参照して説明すると、建地材となる縦柱等の前後一対の支柱１、１の複数を建物に沿って所要間隔で立設し、その建物に沿った支柱１、１間の高さ方向の適宜位置に足場板（踏板）２を設けるとともに、その足場板２の前面に（又は後面にも）手摺り付筋交い（図示省略）を設けた構造のものがある（特許文献１参照）。
【０００３】
この仮設足場において、足場板２からの作業員の落下防止、及び物の落下防止として、足場板２の側縁の各支柱１、１の間には、幅木１０を設けることが法令で定められている。
その幅木１０を支柱１、１の間に設ける構造として、従来、足場板に幅木（落下防止プレート）を起伏自在に設けたり（特許文献２、実用新案登録請求の範囲、第１図〜第６図）、幅木（巾木）をその端の把持部材等でもって支柱に取り付けたりしている（特許文献３、図１〜図１３）。
【先行技術文献】
【特許文献】
【０００４】
【特許文献１】実用新案登録第３２１７６２０号公報
【特許文献２】実開平２−１３４１４７号公報
【特許文献３】特開平８−１００５２１号公報
【考案の概要】
【考案が解決しようとする課題】
【０００５】
特許文献２記載の、足場板２に幅木１０を起伏自在に設けた幅木の取付構造は、足場板２が異なれば、その異なる幅木１０付の足場板２を採用する必要があり、汎用性に欠ける。特許文献３記載の幅木１０の取付構造は、支柱の太さ（径）が異なれば、その径にあった把持具とする必要がある。例えば、図１に示すクサビ緊結式足場の支柱１は、径：４８．６ｍｍであり、図２に示す枠組足場の支柱１は、径：４２．７ｍｍである。
【０００６】
この考案は、以上の実状の下、支柱１の径が代わっても対応できる幅木の取付構造を提供することを課題とする。
【課題を解決するための手段】
【０００７】
上記課題を達成するため、この考案は、仮設足場における、建地材となる縦柱等の左右の支柱の間に設ける幅木の前記支柱への取付構造であって、前記支柱間に亘る板状幅木本体から側方に突出する支持部と、その支持部から幅木本体の長さ方向に突出する係止部とからなり、
上記係止部は、上記支持部に軸心回りに回転自在に貫通する回転杆と、その回転杆から偏心して上記支柱の外面に係止する係止杆とを有し、前記回転杆の軸心回りの回転角度によって上記係止杆の上記幅木本体からの離反距離が変化する構成としたのである。
【０００８】
この構成の幅木の取付構造は、左右の支柱の間に幅木を渡し、回転杆を支持部に対し押し込んで係止杆を支柱の外表面に至らす。このとき、回転杆をその軸心周りに回転させて係止杆を支柱の外面に係止させる。その回転杆の回転角度を調整することによって、異なる径の支柱に対応させる。
【０００９】
この構成において、上記支持部は、幅木本体に対して起伏自在に設けられているものとすれば、不使用時には、支持部を倒伏させてコンパクト化を図ることができる。
また、上記支持部に上記係止杆をその下面で支える支片を設ければ、係止杆による幅木の支柱への支持が安定する。
【考案の効果】
【００１０】
この考案は、以上のように構成したので、径の異なる支柱であっても、幅木を取り付けることができる。
【図面の簡単な説明】
【００１１】
【図１】この考案に係る仮設足場の一実施形態の概略斜視図
【図２】同他の実施形態の概略斜視図
【図３】幅木の一実施形態を示し、（ａ）は一部斜視図、（ｂ）は（ａ）の右側面図
【図４】同幅木の取付機構の分解斜視図
【図５】同実施形態の幅木の支柱への一取付作用説明図
【図６】同他の取付作用説明図
【考案を実施するための形態】
【００１２】
この考案の一実施形態を図１、図３〜図５に示し、この実施形態に係る仮設足場は、図１に示すように、建地材となる縦柱等の前後一対の支柱１、１の複数を建物に沿って所要間隔で立設し、その建物に沿った支柱１、１間の高さ方向の適宜位置に足場板２を設けるとともに、その足場板２の前面に手摺り付筋交い（図示せず）を設けたクサビ緊結式である（特許文献１、図１参照）。
【００１３】
支柱１は、図１に示すように、その長さ方向所要間隔で緊結部となるフランジ４が設けられており、そのフランジ４には周囲４等分位（前後左右）に係止孔が形成されている（特許文献１、図３参照）。フランジ４の上下高さ方向（前記長さ方向）の間隔は安全技術基準に基づき足場板２の設置高さ等を考慮して適宜に設定される。この実施形態では、フランジ４は、手摺り付筋交いの取付ピッチ（間隔）の半分のピッチで設けられている。
【００１４】
足場板２は、四角枠内に網板やパンチング板等を設けた長方形の床板２ａと、その床板２ａの前後縁の両端に設けたフック６とからなり（特許文献２、第１図等参照）、従来と同様、そのフック６をパイプ状布材５に引っかけて左右の支柱１、１間に掛け渡される（設けられる）。床板２ａ（足場板２）の側縁は、内側に向く断面コ字状となって、機械的強度が向上されている（補強がなされている）。
布材５は、前後の支柱１、１間に亘る横ステーの端を係止金具でもってフランジ４の係止孔に係止することによって前後の支柱１、１間に掛け渡される。
【００１５】
このような仮設足場において、隣接する左右の支柱１、１の間に幅木１０を設けた構造がこの考案であり、この幅木１０の両端部に支柱１への取付機構２０を設けている。
幅木１０は、図３に示すように、立片１１と、その立片１１の下縁から内側水平に延びる底片（載置片）１２と、立片１１の上縁から上方に延びるほぼ円弧状の湾曲片１３とからなり、それらの各片１１、１２、１３は左右の（隣接する）支柱１、１間に亘る長さとされている。このとき、立片１１及び底片１２の両端に布材５が当たる場合にはその端に布材５の逃げ用切欠きを形成する。この立片１１、底片１２、湾曲片１３は金属から成り、これらによって板状幅木本体が構成される。
【００１６】
上記取付機構２０は、図４に示すように、上記幅木１０（立片１１）から側方（手前）に突出する金属製のほぼ四角枠状支持部２２と、その支持部２２から立片１１の長さ方向に突出する係止部２３とからなる。
支持部２２は、コ字状本体２２ａの一方のフランジ部分が円柱棒材２２ａ’となって、その一端からＬ字状片２２ｂが内側に延び、その端に支持片２２ｃが直角側方に折れ曲がっている。その支持片２２ｃとコ字状本体２２ａのウェブ部分に透孔２２ｄが形成されている。コ字状本体２２ａの他方のフランジ部分は内向き断面Ｌ字状部材からなり、そのＬ字状部材の水平部分が下記支片２２ｅとなる。
【００１７】
この支持部２２は、二段階に折れ曲がった取付金具２４によって幅木１０の立片１１にビス２４ａによって固定される。このとき、コ字状本体２２ａの円柱棒材２２ａ’が取付金具２４の中程の段差部２４ｂに位置され、その段差部２４ｂは、幅木１０の立片１１に取付金具２４がビス止めされると、前記コ字状本体２２ａの円柱棒材２２ａ’がその軸心回りに回転し得るスペースを立片１１との間に有するため、そのスペース内において支持部２２（コ字状本体２２ａ）は円柱棒材２２ａ’の軸心周りに回転自在となる。すなわち、支持部２２は幅木１０（板状幅木本体１１）に対して起伏自在となる（立片１１に沿ったり（図４（ａ）の状態）、突出したり（同図（ｂ）の状態）の状態となる）。ビス２４ａは、リベット形式のものを使用し、立片１１と取付金具２４の両外面から挟んで締結するものとする。
【００１８】
係止部２３は、軸心回りに回転自在な回転杆２３ａと、その回転杆２３ａの端に偏心して同一長さ方向に延びた固定の係止杆２３ｂとからなる（両杆２３ａ、２３ｂは偏心して長さ方向に連続している）。回転杆２３ａは上記両透孔２２ｄに回転自在かつ軸方向に移動可能に挿通される。
回転杆２３ａの端部にはＣリング２５が嵌め込まれ、その先に（図４において左端）に板片状ストッパ２６が長孔２６ａを介して径方向に移動自在に嵌められている。回転杆２３ａの一端面にはビス２７がワッシャー２７ａを介してねじ込まれ、このビス２７（ワッシャー２７ａ）とＣリング２５によって回転杆２３ａからストッパ２６の離脱が阻止される。Ｃリング２５は回転杆２３ａの円周溝２３ａ’に嵌められる。
ストッパ２６の先端は下向きのＬ字状に屈曲した係止片２６ｂとなっており、その係止片２６ｂの先端面は内向き円弧状となって回転杆２３ａの外面に嵌るようになっている。
【００１９】
この考案に係る実施形態の仮設足場における幅木１０の取付構造は以上の構成であり、その作用について図５（ａ）〜同（ｄ）を参照して説明する。
まず、図１に示すように、左右の支柱１、１の間に幅木１０を渡し、図５（ａ）から同（ｂ）に示すように、その両端の取付機構２０をそれぞれの支柱１に臨ませ（近接し）、支持部２２を立片１１に対して起立させる。このとき、係止杆２３ｂが支柱１に緩衝しないように回転杆２３ａはコ字状本体２２ａから引き出しておく。
【００２０】
つぎに、回転杆２３ａをコ字状本体２２ａに対し押し込んで係止杆２３ｂを支柱１の外表面に至らす（図５（ｃ））。このとき、回転杆２３ａと係止杆２３ｂは水平方向に並んだ（並列した）状態とし（図５（ｄ））、係止杆２３ｂと湾曲片１３の間に支柱１がピッタリと納まるように、両杆２３ａ、２３ｂの径や四角枠状支持部２２の起立高さを設定する。また、係止杆２３ｂはコ字状本体２２ａの他方のフランジ部分の断面Ｌ字状部材の水平部分（支片２２ｅ）にその下面で当接する（載置される）。このため、係止杆２３ｂは動きにくくその幅木１０の支柱１への支持が安定する。
このようにして、幅木１０の両端は各支柱１に係止され、足場板２の側縁に幅木１０が設けられる。この幅木１０を支柱１から外すには、上記作用の逆を行い、係止杆２３ｂを退去させて支柱１との係止を外せば良い。
図１に示すように、幅木１０は建物の反対側となる足場板２の一側のみならず、同図鎖線で示す反対側にも設けることが好ましい。
【００２１】
上記実施形態は、クサビ緊結式足場の場合であり、例えば、支柱１の径：４８．６ｍｍの場合であったが、図２に示す、枠組足場においても（特許文献２第７、８図参照）、この考案の幅木の取付構造は採用できる。例えば、門型枠組足場においての支柱１の径は、４２．７ｍｍであるため、図６に示すように、回転杆２３ａを図５の状態からその軸心左回りに２７０度回転させて回転杆２３ａと係止杆２３ｂを上下に重なった状態とする。すると、図５（ｃ）、同（ｄ）に比べて、係止杆２３ｂと湾曲片１３（幅木１０）との距離Ｌが係止杆２３ｂの径分、短くなり、その係止片２３ｂが４２．７ｍｍ径の支柱１の外表面に至り、係止杆２３ｂと湾曲片１３の間に支柱１がピッタリと納まる。
【００２２】
このように、回転杆２３ａの回転角度θ（図５（ａ）参照）によって、係止杆２３ｂと湾曲片１３との距離Ｌ（図５（ｃ）参照）が変化するため、その回転角度を調整することによって支柱１の太さ（径）に対応できる。この場合、支片２２ｅは省略することができる。しかし、その係止杆２３ｂと支柱１との係止状態が安定するのは、回転杆２３ａと係止杆２３ｂが、上下に重なった状態、又は水平方向に重なった（並列した）状態の場合であるから、２通りの径の異なる支柱１に対応させることが好ましい。
【００２３】
なお、係止杆２３ｂと幅木１０（湾曲片１３）との距離Ｌは、回転杆２３ａ、係止杆２３ｂの径、支持部２２のコ字状本体２２ａの立ち上がり長さによって決定されるため、対象とする足場の支柱１に合わせて適宜に設定する。
また、回転杆２３ａと係止杆２３ｂは、別々の棒材とせず、一本のクランク状棒材とし得る。その棒材（両杆２３ａ、２３ｂも含む）も円柱状（円筒状も含む）に限らず、支障が無い限りにおいて角棒でも良い。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２４】
１  支柱
２  足場板（踏板）
２ａ  足場板の床板
４  フランジ（緊結部）
５  足場板取付用布材
６  フック
１０  幅木（巾木）
１１  幅木の立片（幅木本体）
１２  同底片
１３  同湾曲片
２０  取付機構
２２  支持部
２２ａ  支持部のコ字状本体
２２ｂ  同Ｌ字状片
２２ｃ  同支持片
２２ｄ  同透孔
２２ｅ  支片
２３  係止部
２３ａ  係止部の回転杆
２３ｂ  同係止杆
２４  取付金具
２４ａ  ビス
２５  Ｃリング
２６  ストッパ
２７  ビス
Ｌ  係止杆の幅木本体からの離反距離
θ  回転杆の軸心回りの回転角度
【図１】
0003219521.tif 000003
【図２】
0003219521.tif 000004
【図３】
0003219521.tif 000005
【図４】
0003219521.tif 000006
【図５】
0003219521.tif 000007
【図６】
0003219521.tif 000008